(57)【要約】【課題】  互換型光ピックアップ、及びこれを採用した光記録及び／または再生機器を提供する。【解決手段】  第１波長の光を出射する光源と、入射された光を情報記録媒体に集光させる対物レンズと、光源側から入射される第１波長の光を互いに直交する第１及び第２偏光成分を有する光に変えられる偏光変換器と、偏光変換器を経由して入射される第１波長の光の偏光成分により、屈折力が異なって作用する偏光ホログラム素子と、光源から出射されて対物レンズにより情報記録媒体に集束された後、戻ってくる反射光を受光する光検出器と、反射光を光検出器にガイドする光路変換器とを備え、第１情報記録媒体及びこれと異なる厚さを有する第２情報記録媒体を互換採用できる。【選択図】図１
2007073173.tif 000002
【特許請求の範囲】
【請求項１】
第１波長の光を出射する光源と、
入射された光を情報記録媒体に集光させる対物レンズと、
前記光源側から入射される光を互いに直交する第１及び第２偏光成分を有する第１及び第２光に変えられる偏光変換器と、
前記偏光変換器を経由して入射される前記第１及び第２光の偏光成分により、屈折力が異なって作用する偏光ホログラム素子と、
前記光源から出射され、前記対物レンズにより情報記録媒体に集束された後、戻ってくる反射光を受光する光検出器と、
前記反射光を前記光検出器にガイドする光路変換器とを備え、前記第１情報記録媒体、及びこれと異なる厚さを有する第２情報記録媒体を互換採用できることを特徴とする互換型光ピックアップ。
【請求項２】
前記偏光変換器は、１／２波長板であることを特徴とする請求項１に記載の互換型光ピックアップ。
【請求項３】
前記偏光変換器は、前記光路変換器と対物レンズとの間に位置することを特徴とする請求項１に記載の互換型光ピックアップ。
【請求項４】
前記光路変換器は、偏光ビーム分割器であることを特徴とする請求項３に記載の互換型光ピックアップ。
【請求項５】
前記偏光ホログラム素子は、前記第１偏光成分の光は、直進透過させ、前記対物レンズにより集束されて前記第１情報記録媒体にフォーカスさせ、前記第２偏光成分の光は、屈折させ、前記対物レンズにより集束されて前記第２情報記録媒体にフォーカスさせる偏光ホログラム領域を具備することを特徴とする請求項２に記載の互換型光ピックアップ。
【請求項６】
前記偏光ホログラム領域は、
それにより屈折された第２偏光成分の光が前記対物レンズに入射されるとき、前記対物レンズの有効開口数が前記第２情報記録媒体の規格で要求する開口数になるように形成されたことを特徴とする請求項５に記載の互換型光ピックアップ。
【請求項７】
前記光源は、青色光源であり、
前記第１情報記録媒体は、ＢＤであり、前記第２情報記録媒体は、ＨＤ  ＤＶＤであることを特徴とする請求項６に記載の互換型光ピックアップ。
【請求項８】
前記偏光ホログラム素子は、前記第１偏光成分の光は、直進透過させ、前記対物レンズにより集束されて前記第１情報記録媒体にフォーカスさせ、前記第２偏光成分の光は、屈折させ、前記対物レンズにより集束されて前記第２情報記録媒体にフォーカスさせる偏光ホログラム領域を具備することを特徴とする請求項１に記載の互換型光ピックアップ。
【請求項９】
前記偏光ホログラム領域は、
それにより屈折された第２偏光成分の光が前記対物レンズに入射されるとき、前記対物レンズの有効開口数が前記第２情報記録媒体の規格で要求する開口数になるサイズに形成されたことを特徴とする請求項８に記載の互換型光ピックアップ。
【請求項１０】
前記光源は、青色光源であり、
前記第１情報記録媒体は、ＢＤであり、前記第２情報記録媒体は、ＨＤ  ＤＶＤであることを特徴とする請求項９に記載の互換型光ピックアップ。
【請求項１１】
前記偏光変換器は、
その光学軸方向が前記光源側から入射する光の偏光方向と、０°より大きくて４５°より小さいか、または４５°より大きくて９０°より小さい範囲内の角度を維持するように固設されたことを特徴とする請求項１から請求項１０のうちいずれか一項に記載の互換型光ピックアップ。
【請求項１２】
前記第１及び第２情報記録媒体より低密度である第３情報記録媒体を互換採用するように第３情報記録媒体用光を出射し、前記第３情報記録媒体から反射された光を受光する低密度用光学系と、
前記低密度用光学系から出射された光の経路を前記第１波長の光の経路と結合させる光路結合器とをさらに備え、第１及び第２情報記録媒体に付加して第３情報記録媒体を互換採用するように設けられ、
前記第３情報記録媒体は、ＤＶＤ及びＣＤのうち少なくともいずれか一つであることを特徴とする請求項１０に記載の互換型光ピックアップ。
【請求項１３】
前記第１及び第２情報記録媒体より低密度である第３情報記録媒体を互換採用するように第３情報記録媒体用光を出射し、前記第３情報記録媒体から反射された光を受光する低密度用光学系と、
前記低密度用光学系から出射された光の経路を前記第１波長の光の経路と結合させる光路結合器とをさらに備え、第１及び第２情報記録媒体に付加して第３情報記録媒体を互換採用するように設けられ、
前記第３情報記録媒体は、ＤＶＤ及びＣＤのうち少なくともいずれか一つであることを特徴とする請求項１１に記載の互換型光ピックアップ。
【請求項１４】
前記低密度用光学系と前記対物レンズとの間の光路上に、前記低密度用光学系から出射される光を前記第３情報記録媒体にフォーカスするのに適した有効開口数を具現するための光学素子をさらに具備することを特徴とする請求項１３に記載の互換型光ピックアップ。
【請求項１５】
前記偏光変換器を駆動する駆動部をさらに具備し、
前記駆動部は、前記偏光変換器をその光学軸方向が前記光源側から入射する光の偏光方向と、下記式を満足するθの角度をなすか、または前記光学軸方向が前記光源側から入射する光の偏光方向と、一致、直交、４５°及び１３５°のうちいずれか一つをなすように駆動することを特徴とする請求項１から請求項１０のうちいずれか一項に記載の互換型光ピックアップ：
０°＜θ＜４５°または４５°＜θ＜９０°。
【請求項１６】
前記偏光変換器と前記偏光ホログラム素子との間の光路上に１／４波長板をさらに具備することを特徴とする請求項１５に記載の互換型光ピックアップ。
【請求項１７】
前記光源は、青色光を出射し、前記第１情報記録媒体は、ＢＤであり、前記第２情報記録媒体は、ＨＤ  ＤＶＤであることを特徴とする請求項１５に記載の互換型光ピックアップ。
【請求項１８】
前記第１及び第２情報記録媒体より低密度である第３情報記録媒体を互換採用するように第３情報記録媒体用光を出射し、前記第３情報記録媒体から反射された光を受光する低密度用光学系と、
前記低密度用光学系から出射された光の経路を前記第１波長の光の経路と結合させる光路結合器とをさらに備え、第１及び第２情報記録媒体に付加して第３情報記録媒体を互換採用するように設けられ、
前記第３情報記録媒体は、ＤＶＤ及びＣＤのうち少なくともいずれか一つであることを特徴とする請求項１５に記載の互換型光ピックアップ。
【請求項１９】
前記低密度用光学系と前記対物レンズとの間の光路上に、前記低密度用光学系から出射された光を前記第３情報記録媒体にフォーカスするのに適した有効開口数を具現するための光学素子をさらに具備することを特徴とする請求項に１８記載の互換型光ピックアップ。
【請求項２０】
情報記録媒体の半径方向に移動自在に設置され、情報記録媒体に／から情報を記録／再生する光ピックアップ、及びこの光ピックアップを制御するための制御部を備える光記録及び／または再生機器において、
前記光ピックアップは、請求項１から請求項１０のうちいずれか一項に記載の互換型光ピックアップを具備することを特徴とする光記録及び／または再生機器。
【請求項２１】
偏光変換器は、
その光学軸方向が光源側から入射する光の偏光方向と、０°より大きくて４５°より小さいか、または４５°より大きくて９０°より小さい範囲内の角度を維持するように固設され、前記光源側から入射される第１波長の光の偏光を変換させ、互いに直交する第１及び第２偏光成分を有する光に変えることを特徴とする請求項２０に記載の光記録及び／または再生機器。
【請求項２２】
第１及び第２情報記録媒体より低密度である第３情報記録媒体を互換採用するように第３情報記録媒体用光を出射し、前記第３情報記録媒体から反射された光を受光する低密度用光学系と、
前記低密度用光学系から出射された光の経路を前記第１波長の光の経路と結合させる光路結合器とをさらに備え、第１及び第２情報記録媒体に付加して第３情報記録媒体を互換採用するように設けられ、
前記第３情報記録媒体は、ＤＶＤ及びＣＤのうち少なくともいずれか一つであることを特徴とする請求項２１に記載の光記録及び／または再生機器。
【請求項２３】
前記低密度用光学系と前記対物レンズとの間の光路上に、前記低密度用光学系から出射される光を前記第３情報記録媒体にフォーカスするのに適した有効開口数を具現するための光学素子をさらに具備することを特徴とする請求項２２に記載の光記録及び／または再生機器。
【請求項２４】
前記偏光変換器を駆動する駆動部をさらに具備し、
前記駆動部は、前記偏光変換器をその光学軸方向が前記光源側から入射する光の偏光方向と、下記式を満足するθの角度をなすか、または前記光学軸方向が前記光源側から入射する光の偏光方向と、一致、直交、４５°及び１３５°のうちいずれか一つをなすように、適用される情報記録媒体の種類や記録または再生モードによって駆動することを特徴とする請求項２０に記載の光記録及び／または再生機器：
０°＜θ＜４５°または４５°＜θ＜９０°。
【請求項２５】
前記偏光変換器と前記偏光ホログラム素子との間の光路上に１／４波長板をさらに具備することを特徴とする請求項２４に記載の光記録及び／または再生機器。
【請求項２６】
前記光源は、青色光を出射し、前記第１情報記録媒体は、ＢＤであり、前記第２情報記録媒体は、ＨＤ  ＤＶＤであることを特徴とする請求項２４に記載の光記録及び／または再生機器。
【請求項２７】
前記第１及び第２情報記録媒体より低密度である第３情報記録媒体を互換採用するように第３情報記録媒体用光を出射し、前記第３情報記録媒体から反射された光を受光する低密度用光学系と、
前記低密度用光学系から出射された光の経路を前記第１波長の光の経路と結合させる光路結合器とをさらに備え、第１及び第２情報記録媒体に付加して第３情報記録媒体を互換採用するように設けられ、
前記第３情報記録媒体は、ＤＶＤ及びＣＤのうち少なくともいずれか一つであることを特徴とする請求項２４に記載の光記録及び／または再生機器。
【請求項２８】
前記低密度用光学系と前記対物レンズとの間の光路上に、前記低密度用光学系から出射された光を前記第３情報記録媒体にフォーカスするのに適した有効開口数を具現するための光学素子をさらに具備することを特徴とする請求項２７に記載の光記録及び／または再生機器。
【請求項２９】
第１情報記録媒体及びこれより厚い第２情報記録媒体を選択的に記録及び／または再生するための光を出射する光源と、
前記第１及び第２情報記録媒体に光をフォーカスする単一光学レンズと、
前記光を第１及び第２偏光の光ビームに偏光させる偏光素子と、
さらに厚い前記第２情報記録媒体を記録及び／または再生できるように、前記第２偏光の光ビームが通過して前記単一光学レンズに進むとき、この第２偏光の光ビームを屈折させるように調整される偏光ホログラム素子とを具備することを特徴とする光学システム。
【請求項３０】
前記単一光学レンズは、前記第１情報記録媒体を記録及び／または再生するのに最適化されたことを特徴とする請求項２９に記載の光学システム。
【請求項３１】
前記偏光ホログラム素子は、前記第１偏光の光ビームは、屈折なしに直接前記単一光学レンズ側に透過させることを特徴とする請求項２９に記載の光学システム。
【請求項３２】
第１及び第２情報記録媒体の半径方向に移動自在に設置され、情報記録媒体に／から情報を記録／再生する請求項２９に記載の光学システムと、
前記光学システムの動きを制御するための制御部とを備えることを特徴とする光記録及び／または再生機器。
【請求項３３】
単一光学レンズを使用して互いに異なる深さの複数の面に単一波長の光をフォーカスする方法において、
光源から光を出射する段階と、
前記光を第１偏光の光ビーム及びこれに直交する第２偏光の光ビームに偏光させる段階と、
前記第１偏光の光ビームを偏光ホログラム素子の外側開口数を介して直接透過させ、１つの深さに前記第１偏光の光ビームをフォーカスする段階と、
前記第２偏光の光ビームを偏光ホログラム素子の内側開口数を介して屈折させ、他の深さに第２偏光の光ビームをフォーカスする段階とを含み、
前記内側開口数は、前記第２偏光の光ビームを所望の位置に位置した前記単一光学レンズ上に屈折させるように調整される調整可能な偏光ホログラム領域を具備することを特徴とする方法。
【発明の詳細な説明】
【技術分野】
【０００１】
本発明は、光ピックアップ、及びこれを適用した光記録及び／または再生機器に係り、さらに詳細には、互いに異なる規格の複数の情報記録媒体を１つの対物レンズを使用して互換できる互換型光ピックアップ、及びこれを採用した光記録及び／または再生機器に関する。
【背景技術】
【０００２】
現在主に使われている光記録媒体は、ＣＤとＤＶＤなどがあり、最近には、ブルーレイディスク（ＢＤ）及びＨＤ  ＤＶＤ（ハイディフィニションデジタルバーサタイルディスク）などが出回っている。
【０００３】
新しい光記録媒体の出現は、記録をさらに高密度化するためのものである。記録をさらに高密度化するのは、光源の波長を短くしたり、または対物レンズの開口数（ＮＡ）を大きくすることによって可能になる。ＤＶＤでは、波長６５０ｎｍ、ＮＡ  ０．６が利用されているが、ＤＶＤより一層さらに高密度化を目標とし、波長４００ｎｍないし４０８ｎｍの青色光源を利用し、対物レンズのＮＡを０．６５ないし０．８５まで大きくすることを考えることができる。前記ＢＤは、厚さ（光入射面から情報記録面までの間隔であり、ここでは、保護層の厚さに該当する）がほぼ０．１ｍｍ、対物レンズ開口数０．８５、光源の波長４０５ｎｍ近辺とする規格で、約２５ＧＢの記録容量を有する。ＨＤ  ＤＶＤは、使用波長は、ＢＤと同一でありつつ、対物レンズ開口数０．６５、そして基板厚さ０．６ｍｍとする規格で、約１５ＧＢの記録容量を有する。
【０００４】
従って、１つのシステムで、二種以上の光記録媒体の規格、例えば、ＢＤ及びＨＤ  ＤＶＤを互換する装置が必要であると予想される。
【０００５】
ＤＶＤ規格、例えば、ＤＶＤ−ＲＡＭ及びＤＶＤ±ＲＷ規格の場合、光源の波長、対物レンズのＮＡ、そして光ディスク基板の厚さは、ほぼ同一であり、ただしトラックピッチや光ディスク構造が異なる。従って、光源で出てきた光を光ディスクに集光するのに、光ディスクの規格に関係なくほとんど同一であり、ただトラックピッチによるフォーカス並びにトラックキングの互換方法だけ考慮すればよい。
【０００６】
ところで、次世代光記録媒体規格、すなわちＢＤ及びＨＤ  ＤＶＤ規格の場合、ニ規格間の光ディスクの厚さが異なり、これによる球面収差の発生が深刻なので、これに対する補正が必須である。
【０００７】
既発表の１個の光源を使用しつつ光ディスク厚さ差による球面収差を補正する一方法としては、２個の対物レンズを使用する方法がある。
【０００８】
特許文献１には、２組の対物レンズを固設して使用する光ピックアップが開示されている。２組の対物レンズを固設して使用する場合、光軸調整が１組の対物レンズを使用する場合に比べて困難になる。
【特許文献１】米国特許５，８９２，７４９号明細書
【特許文献２】日本特許公開平１１−３１６９７１号公報
【特許文献３】日本特許公開２０００−２７６７６６号公報
【発明の開示】
【発明が解決しようとする課題】
【０００９】
本発明は、前記のような点を勘案して案出され、入射光の偏光を変化させる偏光変換素子と、入射光の偏光によって選択的に屈折力を変化させる偏光ホログラムとの組合わせにより、異なる記録密度を有する複数種類の光情報記録媒体を１つの対物レンズを使用して互換できる互換型光ピックアップ、及びこれを採用した光記録及び／または再生機器を提供するところにその目的がある。
【課題を解決するための手段】
【００１０】
前記の目的を達成するための本発明による互換型光ピックアップは、第１波長の光を出射する光源と、入射された光を情報記録媒体に集光させる対物レンズと、前記光源側から入射される第１波長の光を互いに直交する第１及び第２偏光成分を有する光に変えられる偏光変換器と、前記偏光変換器を経由して入射される前記第１波長の光の偏光成分により、屈折力が異なって作用する偏光ホログラム素子と、前記光源から出射され、前記対物レンズにより情報記録媒体に集束された後、戻ってくる反射光を受光する光検出器と、前記反射光を前記光検出器にガイドする光路変換器とを備え、前記第１情報記録媒体、及びこれと異なる厚さを有する第２情報記録媒体を互換採用できることを特徴とする。
【００１１】
前記偏光変換器は、前記光源から出射される第１波長の光に対する１／２波長板でありうる。前記偏光変換器は、前記光路変換器と対物レンズとの間に位置できる。
【００１２】
前記光路変換器は、偏光ビームスプリッタを具備することが望ましい。
【００１３】
前記偏光ホログラム素子は、前記第１偏光成分の光は、直進透過させ、前記対物レンズにより集束されて前記第１情報記録媒体にフォーカスさせ、前記第２偏光成分の光は、屈折させ、前記対物レンズにより集束されて前記第２情報記録媒体にフォーカスさせる偏光ホログラム領域を具備する。
【００１４】
前記偏光ホログラム領域は、それにより屈折された異なる偏光成分の光が前記対物レンズに入射されるとき、前記対物レンズの有効開口数が前記第２情報記録媒体の規格で要求する開口数になりうるように形成されたことが望ましい。
【００１５】
前記光源は、青色光源であり、前記第１情報記録媒体は、ＢＤであり、前記第２情報記録媒体は、ＨＤ  ＤＶＤでありうる。
【００１６】
前記偏光変換器は、その光学軸方向が前記光源側から入射する光の偏光方向と、０°より大きくて４５°より小さいか、または４５°より大きくて９０°より小さい範囲内の角度を維持するように固設され、前記光源側から入射される第１波長の光の偏光を変換させ、互いに直交する第１及び第２偏光成分を有する光に変えられる。
【００１７】
ここで、前記第１及び第２情報記録媒体より低密度である第３情報記録媒体を互換採用するように第３情報記録媒体用光を出射し、前記第３情報記録媒体から反射された光を受光する低密度用光学系と、前記低密度用光学系から出射された光の経路を前記第１波長の光の経路と結合させる光路結合器とをさらに備え、第１及び第２情報記録媒体に付加して第３情報記録媒体を互換採用するように設けられ、前記第３情報記録媒体は、ＤＶＤ及びＣＤのうち少なくともいずれか一つでありうる。
【００１８】
このとき、前記低密度用光学系と前記対物レンズとの間の光路上に、前記第３情報記録媒体に適した有効開口数を具現するための光学素子をさらに具備できる。
【００１９】
本発明による互換型光ピックアップは、前記偏光変換器を駆動する駆動部をさらに具備し、前記駆動部は、前記偏光変換器をその光学軸方向が前記光源側から入射する光の偏光方向と、下記式を満足するθの角度をなすか、または前記光学軸方向が前記光源側から入射する光の偏光方向と、一致、直交、４５°及び１３５°のうちいずれか一つをなすように駆動できる：
０°＜θ＜４５°または４５°＜θ＜９０°。
【００２０】
このとき、前記偏光変換器と前記偏光ホログラム素子との間の光路上に、前記第１波長の光に対する１／４波長板をさらに具備できる。
【００２１】
前記目的を達成するために、本発明は、情報記録媒体の半径方向に移動自在に設置され、情報記録媒体に／から情報を記録／再生する光ピックアップ、及びこの光ピックアップを制御するための制御部を備える光記録及び／または再生機器において、前記光ピックアップは、前記の特徴点のうち少なくともいずれか一つを有する本発明による互換型光ピックアップを具備することを特徴とする。
【発明の効果】
【００２２】
本発明の互換型光ピックアップによれば、１つの対物レンズでＢＤとＨＤ  ＤＶＤとに同時に対応かのうである。
【００２３】
本発明の互換型光ピックアップは、偏光変換器と偏光ホログラム素子との適用により、部品の最小化を介した互換対物レンズの具現を容易に達成する。
【発明を実施するための最良の形態】
【００２４】
以下、添付された図面を参照しつつ、本発明の望ましい実施例による互換型光ピックアップ、及びこれを適用した光記録及び／または再生機器について詳細に説明する。
【００２５】
図１は、本発明の一実施例による互換型光ピックアップ（または光学システム）の光学的構成を概略的に示す。
【００２６】
図面を参照するに、本発明の一実施例による互換型光ピックアップは、光源１１と、入射された光を情報記録媒体に集光させ、所定規格の第１情報記録媒体、例えば、ＢＤ  １０ａに適するように設けられた対物レンズ３０と、光源１１側から入射される第１波長の光を互いに直交する第１及び第２偏光成分を有する光に変えられる偏光変換器２５と、偏光変換器２５を経由して入射される前記第１波長の光の偏光成分により、屈折力が異なって作用する偏光ホログラム素子２０と、光源１１から出射され、対物レンズ３０により情報記録媒体１０に集束された後、戻ってくる第１波長の反射光を受光する光検出器１８と、前記反射光を光検出器１８にガイドする光路変換器とを備えて構成され、前記第１情報記録媒体、及びこれと異なる厚さを有する第２情報記録媒体、例えば、ＨＤ  ＤＶＤ  １０ｂを互換採用できるように設けられる。
【００２７】
光源１１は、青色光源であり、前記第１情報記録媒体は、ＢＤ  １０ａ、前記第２情報記録媒体は、ＨＤ  ＤＶＤ  １０ｂでありうる。すなわち、光源１１は、ＢＤ  １０ａ及びＨＤ  ＤＶＤ  １０ｂに共通して使われる第１波長の光、例えば、ほぼ４００−４０８ｎｍ近辺の青色光を出射できる。ＢＤ  １０ａは、ほぼ０．１ｍｍの厚さを有し、ＨＤ  ＤＶＤ  １０ｂは、ほぼ０．６ｍｍの厚さを有する。光源１１としては、半導体レーザを具備するか、または他種の光源を具備できる。
【００２８】
対物レンズ３０は、入射された光を情報記録媒体１０に集光させる。対物レンズ３０は、例えば、ＢＤ  １０ａに最適化されるように形成されうる。すなわち、対物レンズ３０は、４００ｎｍ近辺の波長を有する青色光が入射されるとき、ほぼ０．８５の有効開口数で約０．１ｍｍ厚のＢＤ  １０ａに最適の光スポットを形成するように設計されうる。
【００２９】
前記光路変換器は、光源１１と偏光変換器２５との間の光路上に配置されうる。この光路変換器としては、偏光選択性光路変換器、例えば、偏光ビームスプリッタ１３を具備することが望ましい。
【００３０】
偏光ビームスプリッタ１３は、入射光を偏光によって選択的に透過または反射させる。光源１１として半導体レーザを具備する場合、半導体レーザから出射された光は、主に第１線偏光された光、例えば、ｐ偏光の光なので、光源１１側から偏光ビームスプリッタ１３に入射されるｐ偏光の光は、偏光ビームスプリッタ１３を透過して偏光変換器２５側に進む。光源１１が第１線偏光の光を出射するならば、情報記録媒体１０で反射されて戻ってくる光のうち、前記第１線偏光の光に直交する第２線偏光、例えば、ｓ偏光の光は、偏光ビームスプリッタ１３で反射され、光検出器１８に向かう。ここで、光源１１からｓ偏光の光が出射されるように設けられることもある。また、偏光ビームスプリッタ１３がｓ偏光の光を透過させ、ｐ偏光の光を反射させるように設けられ、光源１１から出射される光の偏光を考慮し、光源１１及び光検出器１８が配置されることもある。
【００３１】
前記の通りに、光路変換器として偏光ビームスプリッタ１３を具備する場合、前記偏光変換器は、偏光ビームスプリッタ１３と対物レンズ３０との間に位置することが望ましい。
【００３２】
偏光変換器２５及び偏光ホログラム素子２０は、例えば、第１対物レンズ３０が０．１ｍｍ厚のＢＤ  １０ａに最適化されるように形成されるとき、ＢＤ  １０ａとは異なる厚さを有し、異なる対物レンズ開口数を要求するＨＤ  ＤＶＤ  １０ｂを互換採用できるように次の通り設けられる。
【００３３】
偏光変換器２５は、入射される前記第１波長の光を互いに直交する第１及び第２偏光成分を有する光に変えられるように設けられる。偏光変換器２５としては、前記第１波長の光に対する１／２波長板を具備できる。偏光変換器２５は、１／２波長板に限定されるものではない。
【００３４】
ここで、１／２波長板は公知のように、入射される所定線偏光の光の偏光方向とその光学軸、特に、速い軸が４５°をなすとき、１／２波長板を通過しつつ、光の偏光方向が９０°回転され、直交する他の線偏光の光が出射される。前記１／２波長板の光学軸と、入射される光の偏光方向が４５°以外の角度になれば、１／２波長板に入射される所定線偏光、例えば、ｐ偏光の光は、１／２波長板を通過しつつ、互いに直交する二線偏光、すなわち、ｓ偏光とｐ偏光との成分を有する光に変換される。
【００３５】
本実施例において、偏光変換器２５は、光学軸を有し、その光学軸、例えば、速い軸側が光源１１側から入射する第１波長の光の偏光方向と、０°より大きくて４５°より小さいか、または４５°より大きくて９０°より小さい範囲内の角度を維持するように固設される。すなわち、偏光変換器２５は、その光学軸が入射される線偏光の光の偏光方向に対して４５°以外の角をなすように配置される。この場合、偏光変換器２５は、光源１１側から入射される所定線偏光の第１波長の光の偏光を変換させ、互いに直交する第１及び第２偏光成分を有する光に変えられる。前記所定線偏光は、ｓ偏光またはｐ偏光であり、前記第１及び第２偏光成分のうちいずれか一つは、ｓ偏光、他の一つは、ｐ偏光でありうる。
【００３６】
偏光変換器２５は、望ましくは、その光学軸が光源１１側から入射される第１波長の光の偏光方向に対して２２．５°の角をなすように配置されうる。この場合、入射されるｓまたはｐ偏光の光は、偏光変換器２５を通過しつつ、ｓ偏光及びｐ偏光成分を半々に有する線偏光の光になる。
【００３７】
図２は、図１の偏光ホログラム素子２０の平面図を概略的に示す。図２を参照するに、偏光ホログラム素子２０は、偏光変換器２５を通過しつつ、偏光変換された前記第１波長の光の第１及び第２偏光成分のうち、一偏光成分の光は、直進透過させ、他の偏光成分の光は、屈折させる偏光ホログラム領域２１を具備する。偏光ホログラム領域２１には、階段型またはノコギリの刃型のホログラムパターンが形成されうる。
【００３８】
偏光ホログラム領域２１を直進透過した一偏光成分の光は、対物レンズ３０により集束されてＢＤ  １０ａにフォーカスされる。偏光ホログラム領域２１により屈折された他の偏光成分の光は、対物レンズ３０により集束されてＨＤ  ＤＶＤ  １０ｂにフォーカスされる。
【００３９】
偏光ホログラム領域２１は、それにより屈折された他の偏光成分の光が対物レンズ３０に入射されるとき、対物レンズ３０の有効開口数がＨＤ  ＤＶＤ  １０ｂ規格で要求する開口数、例えば、０．６５の開口数になるように形成されることが望ましい。偏光ホログラム領域２１は、有効開口数０．６５を達成できるように、偏光ホログラム素子２０の中心部分に所定サイズに設けられる。図２で参照番号２２は、偏光ホログラム領域２１以外の透明領域、参照番号２３は、ＢＤ  １０ａに使われる有効開口数０．８５に対応する領域のサイズを表す。
【００４０】
前記の通りに、偏光ホログラム領域２１がＨＤ  ＤＶＤ  １０ｂ規格の開口数に該当する対物レンズ３０の有効開口数を達成できるように設けられ、対物レンズ３０がＢＤ  １０ａに最適化されるように設けられた場合、情報記録媒体１０としてＢＤ  １０ａを適用するときには、偏光ホログラム素子２０の透明領域２２と、偏光ホログラム領域２１とを直進透過した光は、ＢＤ  １０ａの情報記録面上にフォーカスされうる。
【００４１】
一方、情報記録媒体１０としてＨＤ  ＤＶＤ  １０ｂを適用するときは、偏光ホログラム素子２０の透明領域２２と、偏光ホログラム領域２１とを直進透過した光は、ＢＤ  １０ａとＨＤ  ＤＶＤ  １０ｂとの厚さ差に起因し、ＨＤ  ＤＶＤ  １０ｂの情報記録面上にフォーカスされないので、ＨＤ  ＤＶＤ  １０ｂに対して有効光として使われず、偏光ホログラム素子２０の偏光ホログラム領域２１で屈折された光のみがＨＤ  ＤＶＤ  １０ｂの情報記録面上にフォーカスされる。
【００４２】
従って、本発明による互換型光ピックアップは、ＢＤ  １０ａ及びＨＤ  ＤＶＤ  １０ｂに適した第１波長の光を出射する光源１１、ＢＤ  １０ａに最適化された対物レンズ３０を具備しつつも、偏光変換器２５と偏光ホログラム素子２０とを具備することにより、ＢＤ  １０ａ及びＨＤ  ＤＶＤ  １０ｂを互換採用できる。
【００４３】
一方、本発明による互換型光ピックアップは、前記第１及び第２情報記録媒体、例えば、ＢＤ  １０ａ及びＨＤ  ＤＶＤ  １０ｂより低密度である第３情報記録媒体を互換採用するように、第３情報記録媒体用光を出射し、前記第３情報記録媒体から反射された光を受光する低密度用光学系５０と、低密度用光学系５０から出射された光の経路を前記第１波長の光の経路と結合させる光路結合器６０とをさらに備えることができる。また、本発明による互換型光ピックアップは、低密度用光学系５０と対物レンズ３０との間の光路上に、前記第３情報記録媒体に適した有効開口数を具現し、低密度情報記録媒体を互換できるようにする光学素子５５をさらに備えることができる。ここで、光学素子５５を別途に具備する代わりに、対物レンズ３０レンズ面にホログラム面を形成することもできる。
【００４４】
その場合、本発明による互換型光ピックアップは、前記第１及び第２情報記録媒体に付加し、第３情報記録媒体を互換採用でき、前記第３情報記録媒体は、ＤＶＤ  １０ｃ及びＣＤ  １０ｄのうち少なくともいずれか一つでありうる。すなわち、本発明による互換型光ピックアップは、ＢＤ  １０ａ及びＨＤ  ＤＶＤ  １０ｂだけではなく、ＤＶＤ  １０ｃ及びＣＤ  １０ｄのうち少なくともいずれか一つを互換採用できる。
【００４５】
低密度用光学系５０は、例えば、ＤＶＤ用第１光モジュールと、ＣＤ用第２光モジュールと、この第１及び第２光モジュールから入射された光の経路を結合して同一光路に進め、情報記録媒体１０で反射されて戻ってくる光をそれぞれ第１及び第２光モジュール側に進めるビームスプリッタとを備えて構成されうる。また、低密度用光学系５０は、ビームスプリッタと光路結合器との間に、第１及び第２光モジュール側から入射される光をコリメーティングして平行光に変えるＤＶＤ／ＣＤ用第１コリメーティングレンズ５１をさらに備えることができる。
【００４６】
前記第１光モジュールとしては、赤色波長、例えば、ほぼ６５０ｎｍ波長用光源を具備するＤＶＤ用ホログラム光モジュールを具備できる。また、前記第２光モジュールとしては、赤外線波長、例えば、ほぼ７８０ｎｍ波長用光源を具備するＣＤ用ホログラム光モジュールを具備できる。ホログラム光モジュールは、光源、信号検出のための光検出器、光源から出射された光を直進透過させ、情報記録媒体により反射された後で再入射される光は、例えば、一次に回折させて光検出器に向かわせるホログラムを具備する。また、ホログラムが形成された透明部材の反対面に、三ビーム法などによりトラックキングエラー信号検出が可能なように、入射光を少なくとも３条の光に分岐するグレーティングパターンをさらに具備できる。かかるホログラム光モジュールについては、本技術分野で公知であるので、その図示及び詳細な説明は省略する。
【００４７】
ここで、低密度用光学系５０は、ＤＶＤ  １０ｃ及びＣＤ  １０ｄのうち、いずれか一つだけ適用できるように設けられることもある。
【００４８】
光路結合器６０は、例えば、光源１１側から入射される第１波長の光は、透過させ、低密度用光学系５０側から入射される赤色光及び／または赤外線光は、反射させ、光経路が結合される。光路結合器６０としては、二色ミラーなどを具備できる。
【００４９】
光学素子５５としては、回折素子（ＤＯＥ：Ｄｉｆｆｒａｃｔｉｏｎ  ＯｐｔｉｃａｌＥｌｅｍｅｎｔ）または液晶素子を具備できる。ここで、光学素子５５は、回折素子または液晶素子に限定されるものではない。
【００５０】
ここで、光学素子５５として回折素子を具備し、低密度用光学系５０がＤＶＤ用赤色光及びＣＤ用赤外線光をいずれも出射できる場合、この回折素子は、ＢＤ  １０ａ用及びＨＤ  ＤＶＤ  １０ｂ用の第１波長の光は、そのまま透過させ、ＤＶＤ  １０ｃ用赤色光及びＣＤ  １０ｄ用赤外線光については、選択的な回折によりほぼ０．６及び０．４５の有効開口数を達成できるように設けられうる。このときの有効開口数の調節は、回折素子での回折による屈折力変化により得られる。
【００５１】
光学素子５５として液晶素子を具備する場合、この液晶素子は、ＢＤ  １０ａ用及びＨＤ  ＤＶＤ  １０ｂ用の第１波長の光は、そのまま透過させ、ＤＶＤ  １０ｃ用赤色光及びＣＤ  １０ｄ用赤外線光については、ほぼ０．６及び０．４５の有効開口数に対応する領域別に選択的に遮断させるように形成されて駆動されうる。このときの有効開口数調節は、液晶素子の駆動によって得られる絞り開口数サイズ変化により得られる。
【００５２】
本発明による互換型光ピックアップにおいて、低密度用光学系５０は、ＤＶＤ  １０ｃ及び／またはＣＤ  １０ｄの互換採用のために、ＤＶＤ  １０ｃ用第１光モジュール及び／またはＣＤ  １０ｄ用第２光モジュールを具備する代わりに、光源と光検出器とが分離されている分離型光学系構造からなされることもある。それ以外にも、本発明による互換型光ピックアップにおいて、低密度用光学系５０の光学的構成は、多様に変形されうる。
【００５３】
本技術分野では、ＤＶＤ  １０ｃ及びＣＤ  １０ｄを記録／再生するのに使われる低密度用光学系５０の多様な構造については、本技術分野に公知であるところから十分に分かるので、ここでは、低密度用光学系５０についてのさらに詳細な図示及び説明を省略する。
【００５４】
一方、本発明による互換型光ピックアップは、図１に図示されたように、光源１１と対物レンズ３０との間の光路上に光源１１から出射される発散光を平行光にコリメーティングする第２コリメーティングレンズ１４をさらに具備できる。また、光源１１の前に、光源１１から出射される第１波長の光を複数の光ビームに分割し、例えば三ビーム法などによるトラックキングエラー信号検出を可能にするグレーティング１２をさらに具備できる。図１では、第２コリメーティングレンズ１４が偏光変換器２５と光路器との間に配置される例を示す。
【００５５】
本発明による互換型光ピックアップは、光路を曲げるための反射ミラー１５、情報記録媒体で反射された後に光検出器１８に向かう第１波長の光を光検出器１８に適正光スポットとして結ばせる検出レンズ１７をさらに備えることができる。検出レンズ１７としては、非点収差法によりフォーカスエラー信号検出が可能なように非点収差レンズを具備することもできる。
【００５６】
また、本発明による互換型光ピックアップは、反射ミラー１５を、入射光のうちほとんどは反射させつつ、一部光は、透過させるように設け、この反射ミラー１５後側に第１光源１１及び／または低密度用光学系の光源の光出力をモニターリングするためのモニターリング光検出器１９、このモニターリング光検出器１９に光を集めるための集束レンズ１６をさらに具備することもできる。
【００５７】
以下では、図３及び図４を参照し、偏光変換器２５がその光学軸が光源１１から出射されて偏光ビームスプリッタ１３を透過した所定線偏光の光の偏光反響につき、２２．５°傾くように配置された場合を例に挙げ、ＢＤ  １０ａ及びＨＤ  ＤＶＤ  １０ｂを再生する場合の有効光の偏光変化を説明する。
【００５８】
図３は、高開口数（例えば、開口数０．８５）を必要とするＢＤ  １０ａを再生する場合の有効光の偏光変化を説明する。
【００５９】
光源１１から出射された光は、偏光ビームスプリッタを透過し、光軸が２２．５°傾いた偏光変換器２５、例えば、１／２波長板を通過して４５°回転された偏光状態で偏光ホログラム素子２０に入射する。このとき、４５°を回転させるためには、偏光変換器２５の光学軸を入射される光の偏光方向と２２．５°を維持させればよい。
【００６０】
このように４５°に線形偏光された光は、ｐ偏光とｓ偏光との成分をいずれも有する光になり、偏光ホログラム素子２０の偏光ホログラム領域２１を通過しつつ、ｐ偏光成分の光のみが屈折力の変化を感じずに直進する。従って、ＢＤ  １０ａに最適化された特性を有する対物レンズ３０により、ＢＤ  １０ａに正しく集光される。ここで、ＢＤ  １０ａに集光される光は、偏光ホログラム素子２０の偏光ホログラム領域２１を通過するｐ偏光成分の光と、偏光ホログラム領域２１の外側に進む光とである。
【００６１】
集光された光でＢＤ  １０ａの再生信号を得ることができ、信号光は、ＢＤ  １０ａで反射する。反射された光は、対物レンズ３０をさらに透過し、偏光ホログラム素子２０でｐ偏光成分がさらに屈折力に影響を受けずに、図３でのように、入射されていた光と同じ経路をたどって偏光変換器２５に伝送される。偏光変換器２５は、ｐ偏光成分の光を−４５°回転させ、偏光ビームスプリッタ１３に光を入射させる。このとき、偏光ビームスプリッタ１３では、ｓ偏光成分の一部光のみを光検出器１８に送り、ＢＤ  １０ａ信号を検出する。
【００６２】
各素子別に光が透過しつつ、変化される偏光成分は、図３の左側に表示した。偏光成分を表す両方向矢印のサイズは、その偏光量を表す。図３の左側に表示された光学軸は、偏光変換器２５の光学軸を表す。
【００６３】
一方、図４は、ＢＤ  １０ａと同じ波長を使用し、ＢＤ  １０ａより相対的に低開口数（例えば、０．６５の開口数）を必要とするＨＤ  ＤＶＤ  １０ｂを再生する場合の有効光の偏光変化を説明する。光源１１から出射された光は、偏光ビームスプリッタ１３を透過し、偏光変換器２５を通過してｐ偏光が４５°傾いた偏光に変わる。偏光を４５°回転させるために、偏光変換器２５の光学軸を入射される光の偏光方向と２２．５°を維持する。
【００６４】
このように４５°線形偏光された光は、ｐ偏光とｓ偏光との成分をいずれも有する光になるために、偏光ホログラム素子２０の偏光ホログラム領域２１を通過しつつ、ｓ偏光成分のみが屈折力を有し、ＨＤ  ＤＶＤ  １０ｂに正しく集光される。ここで、ＨＤ  ＤＶＤ  １０ｂに集光される光は、偏光ホログラム素子２０の偏光ホログラム領域２１を通過するｓ偏光成分の光である。偏光ホログラム領域２１を通過するｐ偏光成分の光と、その偏光ホログラム領域２１の外側に進む光は、ＨＤ  ＤＶＤ  １０ｂに集光されないので、有効光として使われない。
【００６５】
集光された光でＨＤ  ＤＶＤ  １０ｂの再生信号を得ることができ、信号光は、ＨＤ  ＤＶＤ  １０ｂで反射される。反射された光は、対物レンズ３０を透過して偏光ホログラム素子２０の偏光ホログラム領域２１でｓ成分がさらに屈折力に影響を受けた後、図４でのように、入射されていた光と同じ経路をたどって偏光変換器２５に伝送される。偏光変換器２５は、ｓ偏光された光を−４５°回転させ、偏光ビームスプリッタ１３に入射させる。偏光ビームスプリッタでは、ｓ偏光成分の一部光のみを光検出器１８に送り、ＨＤ  ＤＶＤ  １０ｂ信号を検出する。
【００６６】
各素子別に光が透過しつつ、変化される偏光成分は、図４の左側に表示した。偏光成分を表す両方向矢印のサイズは、その偏光の光量を表す。図４の左側に表示された光学軸は、偏光変換器２５の光学軸を表す。
【００６７】
以上でのように、本発明による互換型光ピックアップは、同じ波長を使用しつつ、偏光ホログラム素子２０を利用し、偏光によって選択的な屈折力を発生させるために、同じ波長を使用しつつ、仕様と厚さとが互いに異なる情報記録媒体、すなわち、ＢＤ  １０ａとＨＤ  ＤＶＤ  １０ｂとの互換が可能である。また、低密度用光学系５０をさらに具備することにより、ＢＤ  １０ａ及びＨＤ  ＤＶＤ  １０ｂに付加し、ＤＶＤ  １０ｃ及びＣＤ  １０ｄのうち、少なくともいずれか一つをさらに互換採用できる。
【００６８】
図５は、本発明の他の実施例による互換型光ピックアップの構成を概略的に示したものであり、図１を参照に説明した本発明の一実施例による互換型光ピックアップと比較するとき、偏光変換器２５を能動的に回動駆動する駆動部７０をさらに具備した点にその特徴がある。ここで、本発明の他の実施例による互換型光ピックアップで、図１を参照に説明した本発明の一実施例と同一または類似の機能を行う部材は、図１と同一参照符号で表し、その反復的な説明は省略する。
【００６９】
図５を参照するに、駆動部７０は、偏光変換器２５をその光学軸方向が光源１１側から入射する第１波長の光の偏光方向と、θの角度をなすか、または前記光学軸方向が光源１１側から入射する光の偏光方向と、一致、直交、４５°及び１３５°のうち、いずれか一つをなすように、適用される情報記録媒体の種類や記録または再生モードによって偏光変換器２５を回動させる。ここで、前記角度θは、０°＜θ＜４５°または４５°＜θ＜９０°を満足する。この角度θの範囲は、本発明の一実施例での偏光変換器２５の光学軸が光源１１側から入射する第１波長の光の偏光方向となす角度に該当する。
【００７０】
一方、本発明による互換型光ピックアップは、光源１１から出射される光の波長に対する１／４波長板８０をさらに具備できる。１／４波長板８０は、その速い軸（または、遅い軸）が光源１１側から偏光変換器２５に入射される光の偏光方向に対して４５°または１３５°の角度をなすように配置されたことが望ましい。この場合、偏光変換器２５が光源１１側から入射される光を偏光変化なく通過させるか、または偏光方向を９０°回転させるように駆動された場合、例えば、光源１１側から進むｐ偏光の光は、１／４波長板８０を通過しつつ、一円偏光になる。
【００７１】
駆動部７０により、偏光変換器２５をその光学軸方向が光源１１側から入射する光の偏光方向と一致するか、または直交するように駆動すれば、光源１１側から入射される光は、偏光変換器２５を偏光変化なしに通過する。
【００７２】
駆動部７０により、偏光変換器２５をその光学軸方向が光源１１側から入射する光の偏光方向に対して４５°または１３５°をなすように駆動すれば、光源１１側から入射される光は、偏光変換器２５を通過しつつ、その偏光方向が９０°回転する。
【００７３】
図６は、図５の互換型光ピックアップで、偏光変換器２５が光源１１側から入射される光を偏光変化なしに通過させ、１／４波長板８０がその速い軸（または遅い軸）が光源１１側から偏光変換器２５に入射される光の偏光方向に対して４５°または１３５°の角度をなすように配置された場合の光の偏光変化をＢＤ  １０ａについて示す。
【００７４】
図６を参照するに、例えば、ｐ偏光の光は、１／４波長板８０を通過しつつ、第１円偏光になる。円偏光の光は、ｓ偏光の光、及びこれとは位相が９０°違いがあり、同一光量のｐ偏光の光に分解されうる。
【００７５】
従って、第１円偏光の光のうち、偏光ホログラム素子２０の偏光ホログラム領域２１に入射される光の半分、例えば、ｐ偏光の光は、偏光ホログラム領域２１を直進透過し、対物レンズ３０によりＢＤ  １０ａにフォーカスされる。前記第１円偏光の光のうち、偏光ホログラム素子２０の偏光ホログラム領域２１外側に入射する光は、全体が対物レンズ３０によりＢＤ  １０ｂにフォーカスされる。
【００７６】
前記第１円偏光の光は、ＢＤ  １０ａで反射されつつ、これとは直交する第２円偏光の光になる。
【００７７】
ＢＤ  １０ａで反射された第２円偏光の光、及びｐ偏光の光は、偏光ホログラム素子２０をそのまま直進透過して１／４波長板８０に入射され、１／４波長板８０によりｓ偏光の光、及び所定円偏光の光になり、偏光変換器２５を偏光変化なしにそのまま通過する。
【００７８】
図６を参照に説明した通り、ＢＤ  １０ａに入射される光のうち、少なくとも一部が円偏光の光になるように偏光変換器２５を配置すれば、ＢＤ  １０ａが複屈折特性を有する場合にも、良好な再生信号を検出でき、再生性能を改善できるという利点があり、ＢＤ  １０ａに良好な記録光スポットを形成することが可能である。
【００７９】
ここで、図６でのように、偏光変換器２５を、それを通過した光がｓ偏光またはｐ偏光の光になるように駆動し、ＢＤ  １０ａの代わりにＨＤ  ＤＶＤ  １０ｂを適用した場合には、偏光ホログラム素子２０の偏光ホログラム領域２１により屈折されるｓ偏光成分のみがＨＤ  ＤＶＤ  １０ｂにフォーカスされうる。
【００８０】
図７は、図５の互換型光ピックアップで、偏光変換器２５がその光学軸方向が光源１１側から入射される光の偏光方向に対して前記の角度θ、例えば、２２．５°をなすように駆動され、１／４波長板８０がその速い軸（または遅い軸）が光源１１側から偏光変換器２５に入射される光の偏光方向に対して４５°または１３５°の角度をなすように配置された場合の光の偏光変化をＨＤ  ＤＶＤ  １０ｂについて示す。
【００８１】
図７を参照するに、前記の角度θが２２．５°である場合を例にとれば、ｐ偏光の光は、偏光変換器２５を通過しつつ、その偏光方向が４５°回転される。この４５°偏光回転された光は、その偏光方向と１／４波長板８０の速い軸（または遅い軸）とが一致するので、１／４波長板８０を偏光変化なしに透過する。
【００８２】
この４５°方向に偏光された光のうち、ｓ偏光成分のみが偏光ホログラム素子２０の偏光ホログラム領域２１により屈折され、ＨＤ  ＤＶＤ  １０ｂにフォーカスされる。このｓ偏光の光は、ＨＤ  ＤＶＤ  １０ｂで反射された後、偏光ホログラム素子２０により屈折され、本来の光路と一致するように１／４波長板８０に進み、１／４波長板８０により所定円偏光の光になる。この円偏光の光は、偏光変換器２５を偏光変化なしにそのまま通過する。
【００８３】
ここで、図７でのように、偏光変換器２５を、それを通過した光が４５°偏光回転された光になるように駆動し、ＨＤ  ＤＶＤ  １０ｂの代わりにＢＤ  １０ａを適用した場合には、偏光ホログラム素子２０の偏光ホログラム領域２１を屈折なしに通過したｐ偏光成分の光と、偏光ホログラム領域２１外側に進んだ４５°方向に偏光された光とがＢＤ  １０ａにフォーカスされうる。
【００８４】
前記のように、偏光変換器２５を能動的に回動させられる場合には、情報記録媒体１０に入射される光の一部が円偏光の光にすることが可能なので、複屈折を有するＢＤ  １０ａについても優秀な記録特性を有するか、または良好な再生信号検出が可能である。
【００８５】
従って、本発明の他の実施例による互換型光ピックアップによれば、適用される情報記録媒体の複屈折特性、記録または再生モードにより、偏光変換器２５をその光学軸方向が入射光の偏光方向に対して適当な角度をなすように回動させつつ、最上の記録特性を有するか、または良好な再生信号が検出される状態で光記録及び／または再生機器を制御できる。
【００８６】
図８は、本発明による互換型光ピックアップを適用した光記録及び／または再生機器の構成を概略的に示した図である。図８を参照するに、光記録及び／または再生機器は、情報記録媒体１０を回転させるためのスピンドルモータ３１２と、情報記録媒体１０の半径方向に移動自在に設置され、情報記録媒体１０に記録された情報を再生及び／または記録する光ピックアップ３００と、スピンドルモータ３１２と光ピックアップ３００とを駆動するための駆動部３０７と、光ピックアップ３００のフォーカス、トラッキング及び／またはチルトサーボを制御するための制御部３０９とを備える。ここで、参照番号３５２は、ターンテーブル、３５３は、情報記録媒体１０をチャッキングするためのクランプを表す。
【００８７】
光ピックアップ３００としては、前述のような本発明の多様な実施例による互換型光ピックアップのうちいずれか一つを具備する。
【００８８】
情報記録媒体１０から反射された光は、光ピックアップ３００に設けられた光検出器を介して検出されて光電変換されて電気的信号に変わり、該電気的信号は、駆動部３０７を介して制御部３０９に入力される。駆動部３０７は、スピンドルモータ３１２の回転速度を制御し、入力された信号を増幅させ、光ピックアップ３００を駆動する。制御部３０９は、駆動部３０７から入力された信号を基に調節されたフォーカスサーボ、トラックキングサーボ及び／またはチルトサーボの命令をさらに駆動部３０７に送り、光ピックアップ３００のフォーカス、トラックキング及び／またはチルトの動作を具現させる。本発明による互換型光ピックアップを採用した光記録及び／または再生機器は、ＢＤ  １０ａ及びＨＤ  ＤＶＤ  １０ｂを互換採用でき、これに加えてＤＶＤ  １０ｃ及びＣＤ  １０ｄのうち、少なくともいずれか一つをさらに互換採用でき、既存の１つのレンズホルダに二つ以上の対物レンズの備わったアクチュエータと比較し、１つの対物レンズ３０だけを使用するので、高倍速対応に有利である。
【産業上の利用可能性】
【００８９】
本発明の互換型光ピックアップ、及びこれを採用した光記録及び／または再生機器は、例えば、光記録／再生関連の技術分野に効果的に適用可能である。
【図面の簡単な説明】
【００９０】
【図１】本発明の一実施例による互換型光ピックアップの光学的構成を概略的に示す図である。
【図２】図１の偏光ホログラム素子の平面図を概略的に示す図である。
【図３】図１の互換型光ピックアップで、高開口数（例えば、開口数０．８５）を必要とするＢＤを再生する場合の有効光の偏光変化を説明する図である。
【図４】図１の互換型光ピックアップで、ＢＤと同じ波長を使用し、ＢＤより相対的に低開口数（例えば０．６５の開口数）を必要とするＨＤ  ＤＶＤを再生する場合の有効光の偏光変化を説明する図である。
【図５】本発明の他の実施例による互換型光ピックアップの構成を概略的に示す図である。
【図６】図５の互換型光ピックアップで、偏光変換器が光源側から入射される光を偏光変化なしに通過させ、１／４波長板がその速い軸（または遅い軸）が光源側から偏光変換器に入射される光の偏光方向に対して４５°または１３５°の角度をなすように配置された場合の光の偏光変化をＢＤについて示す図である。
【図７】図５の互換型光ピックアップで、偏光変換器がその光学軸方向が光源側から入射される光の偏光方向に対して角度θ、例えば、２２．５°をなすように駆動され、１／４波長板がその速い軸（または遅い軸）が光源側から偏光変換器に入射される光の偏光方向に対して４５°または１３５°の角度をなすように配置された場合の光の偏光変化をＨＤ  ＤＶＤについて示す図である。
【図８】本発明による互換型光ピックアップを適用した光記録及び／または再生機器の構成を概略的に示した図である。
【符号の説明】
【００９１】
１０    情報記録媒体
１０ａ  ＢＤ
１０ｂ  ＨＤ  ＤＶＤ
１０ｃ  ＤＶＤ
１０ｄ  ＣＤ
１１    光源
１２    グレーティング
１３    ビームスプリッタ
１４    第２コリメーティングレンズ
１５    反射ミラー
１６    集束レンズ
１７    検出レンズ
１８    光検出器
１９    モニタリング光検出器
２０    ホログラム素子
２１    ホログラム領域
２２    ホログラム領域以外の透明領域
２３    有効開口数０．８５に対応する領域のサイズ
２５    偏光変換器
３０    対物レンズ
５０    低密度用光学系
５１    第１コリメーティングレンズ
５５    光学素子
６０    光路結合器
７０，３０７  駆動部
８０    １／４波長板
３００  光ピックアップ
３０９  制御部
３１２  スピンドルモータ
３５２  ターンテーブル
３５３  クランプ
【図１】
2007073173.tif 000003
【図２】
2007073173.tif 000004
【図３】
2007073173.tif 000005
【図４】
2007073173.tif 000006
【図５】
2007073173.tif 000007
【図６】
2007073173.tif 000008
【図７】
2007073173.tif 000009
【図８】
2007073173.tif 000010